(57)【要約】【課題】客室間等でリンク処理を行うことのできるカラオケシステムを提供する。【解決手段】本発明において、第１カラオケ装置は、第１カラオケ装置に対応付けられたリモコン装置からネットワークを介してコマンドを受け付ける受付処理を実行可能とし、リモコン装置は、リモコン装置に対応付けられている第１カラオケ装置の識別情報を送信するリンク申請処理を実行可能とし、第２カラオケ装置は、ネットワークに接続されたカラオケ装置と相互に情報通信を行うリンク処理と、リモコン装置のリンク申請処理に基づいて受信した識別情報に対応する第１カラオケ装置に対し、ネットワークを介してリンク処理の開始を通知するリンク開始処理と、を実行可能とする。【選択図】図３
2015184662.tif 000002
【特許請求の範囲】
【請求項１】
第１カラオケ装置と、第２カラオケ装置と、リモコン装置とがネットワークを介して通信接続されたカラオケシステムにおいて、
第１カラオケ装置は、第１カラオケ装置に対応付けられたリモコン装置からネットワークを介してコマンドを受け付ける受付処理を実行可能とし、
リモコン装置は、リモコン装置に対応付けられている第１カラオケ装置の識別情報を送信するリンク申請処理を実行可能とし、
第２カラオケ装置は、
ネットワークに接続されたカラオケ装置と相互に情報通信を行うリンク処理と、
リモコン装置のリンク申請処理に基づいて受信した識別情報に対応する第１カラオケ装置に対し、ネットワークを介してリンク処理の開始を通知するリンク開始処理と、を実行可能とする
カラオケシステム。
【請求項２】
リンク申請処理は、ネットワークとは異なる通信手段により実行される
請求項１に記載のカラオケシステム。
【請求項３】
第２カラオケ装置は、リンク開始処理の実行後、リンク申請処理を行ったリモコン装置に対して結果を通知する通知処理を実行可能とする
請求項１または請求項２に記載のカラオケシステム。
【請求項４】
ネットワークを介して他のカラオケ装置、リモコン装置と通信接続されるカラオケ装置において、
リモコン装置は、リモコン装置に対応付けられているカラオケ装置の識別情報を送信するリンク申請処理を実行可能とし、
カラオケ装置は、
ネットワークに接続されたカラオケ装置と相互に情報通信を行うリンク処理と、
リモコン装置のリンク申請処理に基づいて受信した識別情報に対応するカラオケ装置に対し、ネットワークを介してリンク処理の開始を通知するリンク開始処理と、を実行可能とする
カラオケ装置。
【発明の詳細な説明】
【技術分野】
【０００１】
本発明は、楽曲の演奏に合わせて歌唱を楽しむことのできるカラオケにおいて、他のカラオケ装置と互いに通信することのできるカラオケ装置に関する。また、ネットワークを介して通信接続されたカラオケ装置とリモコン装置を有するカラオケシステムに関する。
【背景技術】
【０００２】
従来、伴奏に合わせて歌唱を楽しむカラオケは、一緒に同席する仲間等と社交の場を形成するものとして利用されている。特に、カラオケ装置が部屋ごとに設置されたカラオケボックスでは、グループでの利用が行われることが多い。カラオケボックスでは、部屋の大きさの都合上、収容人数が限られることが多い。しかしながら、多人数での利用、あるいは、部屋の利用状況等により、１つのグループが異なる部屋で分かれて利用しなければならない場合がある。このような場合、異なる部屋間に分かれたユーザー間でのコミュニケーションは困難となる。
【０００３】
特許文献１、特許文献２には、カラオケ装置間で通信を行うシステムについて提案されている。特許文献１では、中継サーバが募集者と応募者との間で同じがカラオケ楽曲をほぼ同時に演奏開始させることで、デュエット曲を別個のカラオケ演奏端末で同時に演奏し歌唱を楽しむことのできるシステムが開示されている。また、特許文献２では、カラオケＬＡＮシステムの機能を利用し、客室端末間でテレビ会議システムによる客室間コミュニケーションを楽しむことのできるシステムが開示されている。
【先行技術文献】
【特許文献】
【０００４】
【特許文献１】特開２０１４−０２６１８２号公報
【特許文献２】特開平１１−１８４４８５号公報
【発明の概要】
【発明が解決しようとする課題】
【０００５】
特許文献１、に開示するシステムは、通信を行うカラオケ装置間において通信を開始するため、中継サーバ、管理端末を設ける必要がある。そのため、カラオケ装置間で通信を行う場合、中継サーバがカラオケ装置間の同期に介在するため、システムは複雑であり、募集者、応募者の各カラオケ装置に同期演奏させる機能を追加したサーバ設置のためのコストも嵩むこととなる。
【０００６】
また、特許文献２に開示するシステムは、カラオケボックスの店舗の部屋間に設置されたカラオケ装置間でＬＡＮシステムの機能を用いて通信する場合、部屋とカラオケ装置の対応関係を予め設定しておくことで、所望の部屋で互いに通信を行うことも考えられる。しかしながら、ＬＡＮシステムは広域には対応していない。カラオケチェーン等の店舗管理者は、広域で、かつ、複数のカラオケ装置の対応関係を予め設置することとなる。このため、故障によるカラオケ装置の交換等の事情により、広域で、部屋とカラオケ装置の対応関係を常に維持することは困難である。
【０００７】
本発明はこのような状況を鑑みたものであり、カラオケボックスの店舗内の部屋間等、比較的近距離に設置されたカラオケ装置間において、テレビ会議や同時演奏等のリンク処理を行うことのできるカラオケシステム、並びに、カラオケ装置を提供することを目的としている。
【課題を解決するための手段】
【０００８】
そのため、本発明に係るカラオケシステムは以下の構成を採用するものである。
第１カラオケ装置と、第２カラオケ装置と、リモコン装置とがネットワークを介して通信接続されたカラオケシステムにおいて、
第１カラオケ装置は、第１カラオケ装置に対応付けられたリモコン装置からネットワークを介してコマンドを受け付ける受付処理を実行可能とし、
リモコン装置は、リモコン装置に対応付けられている第１カラオケ装置の識別情報を送信するリンク申請処理を実行可能とし、
第２カラオケ装置は、
ネットワークに接続されたカラオケ装置と相互に情報通信を行うリンク処理と、
リモコン装置のリンク申請処理に基づいて受信した識別情報に対応する第１カラオケ装置に対し、ネットワークを介してリンク処理の開始を通知するリンク開始処理と、を実行可能とすることを特徴としている。
【０００９】
さらに本発明に係るカラオケシステムにおいて、
リンク申請処理は、ネットワークとは異なる通信手段により実行されることを特徴としている。
【００１０】
さらに本発明に係るカラオケシステムにおいて、
第２カラオケ装置は、リンク開始処理の実行後、リンク申請処理を行ったリモコン装置に対して結果を通知する通知処理を実行可能とすることを特徴としている。
【００１１】
また本発明に係るカラオケ装置は、
ネットワークを介して他のカラオケ装置、リモコン装置と通信接続されるカラオケ装置において、
リモコン装置は、リモコン装置に対応付けられているカラオケ装置の識別情報を送信するリンク申請処理を実行可能とし、
カラオケ装置は、
ネットワークに接続されたカラオケ装置と相互に情報通信を行うリンク処理と、
リモコン装置のリンク申請処理に基づいて受信した識別情報に対応するカラオケ装置に対し、ネットワークを介してリンク処理の開始を通知するリンク開始処理と、を実行可能とすることを特徴としている。
【発明の効果】
【００１２】
本発明に係るカラオケシステム、カラオケ装置によれば、リンク処理を行いたい第２カラオケ装置に対して、第１カラオケ装置に対応付けられたリモコン装置からリンク申請処理を実行することで、テレビ会議や同時演奏等のリンク処理を容易に開始することが可能である。また、部屋のカラオケ装置が交換された場合においても、カラオケ装置と部屋間の対応付けを行う必要が無く、カラオケシステムの管理も容易となる。
【００１３】
さらに本発明に係るカラオケシステムでは、リモコン装置で実行されるリンク申請処理は、赤外線通信等、ネットワークとは異なる通信手段により実行されることとしている。例えば、赤外線通信による通信手段を使用した場合には、リモコン装置が対面しているカラオケ装置に対してリンク申請処理が実行されることとなり、ユーザーはリモコン装置とリンク処理を行うカラオケ装置との対応関係を容易に把握することが可能である。
【００１４】
さらに本発明に係るカラオケシステムでは、リンク開始処理を受け付けたカラオケ装置（第２カラオケ装置）が、リンク申請処理を行ったリモコン装置に対して結果を通知することで、リンク処理を要請された（第１カラオケ装置）が、リンク処理を開始できない場合においても、その旨をユーザーに認識させることが可能となる。
【図面の簡単な説明】
【００１５】
【図１】本実施形態に係るカラオケシステム設置の様子を示す模式図
【図２】本実施形態に係るカラオケ装置とリモコン装置の構成を示すブロック図
【図３】本実施形態に係るリンク申請時のカラオケシステムの様子を示す模式図
【図４】本実施形態に係るリモコン装置１ａの処理を示すフロー図
【図５】本実施形態に係るカラオケ装置２ｂの処理を示すフロー図
【図６】本実施形態に係るカラオケ装置２ａの処理を示すフロー図
【図７】本実施形態に係るリンク申請情報のデータ構成を示す図
【図８】本実施形態に係るリモコン装置１ａのトップ画面（リンク停止時）を示す図
【図９】本実施形態に係るリモコン装置１ａのリンク申請画面を示す図
【図１０】本実施形態に係るリモコン装置１ａのリンク成功画面を示す図
【図１１】本実施形態に係るリモコン装置１ａのトップ画面（リンク中）を示す図
【図１２】本実施形態に係るリンク処理中におけるカラオケ装置２ａの表示画面を示す図
【図１３】本実施形態に係るリモコン装置１ｂのリンク失敗画面を示す図
【発明を実施するための形態】
【００１６】
図１は、本発明の実施形態に係るカラオケシステム設置の様子を示した模式図である。この模式図は、カラオケボックスのように、複数の部屋にカラオケ装置（コマンダとも呼ばれる）２ａ〜２ｃが設置された場合の設置例となっている。なお、この設置例は、説明を簡易なものとするための設置例であって、実際のカラオケボックスでは図示された数以上の部屋が設置されることが多い。図１の設置例では、部屋Ａ〜Ｃのそれぞれにカラオケ装置２ａ〜２ｃが設置されている。また、部屋内にはカラオケ装置２ａ〜２ｃを操作可能とするリモコン装置１ａ〜１ｃが配置される。
【００１７】
各部屋に設置されたカラオケ装置２ａ〜２ｃは、有線のＬＡＮ１００に接続されることで店舗内のネットワークを構築している。また、このネットワークには、ルータ１２０が接続されている。ルータ１２０は、インターネットに接続されたサーバ装置（図示せず）等と相互に通信を行うことで、カラオケ演奏に必要とされる楽曲情報等、各種カラオケサービスに使用される情報を受信することが可能とされている。
【００１８】
また、有線のＬＡＮには無線ＬＡＮ通信を行うためのアクセスポイント１１０が接続されている。リモコン装置１ａ〜１ｃは、無線ＬＡＮ通信部を備え、アクセスポイント１１０に無線接続することでネットワークに接続することを可能としている。また、リモコン装置１ａ〜１ｃは、同室内のカラオケ装置２ａ〜２ｃに対応付けされており、対応付けされたカラオケ装置２ａ〜２ｃとの間で各種情報通信（リモコン装置１とカラオケ装置２とで双方向のアクセスポイント１１０を介したインフラストラクチャモードの無線ＬＡＮ通信、リモコン装置１とカラオケ装置２とで双方向のＡｄ−ｈｏｃモードの無線ＬＡＮ通信、又は、リモコン装置１からカラオケ装置２への赤外線通信など）を行うことを可能としている。ここでいう「対応付け」は、カラオケ分野においては周知の「括り付け」、「紐付け」などと称される技術であるため、詳細は述べない。
【００１９】
図２には、本発明の実施形態に係るカラオケ装置２とリモコン装置１の構成を示すブロック図が示されている。図１においては、複数のカラオケ装置２ａ〜２ｃを分けて説明するため、アルファベットの添え字ａ〜ｃを付して説明したが、ここでは添え字を省略して説明する。後で説明するリモコン装置１についても同様である。
【００２０】
カラオケ装置２は、制御手段としてのＣＰＵ（中央演算処理部）３０、メモリ２７等を有して構成されている。ＣＰＵ３０は、操作処理部２２と、赤外線通信部２３と、ＬＡＮ通信部２４と、音響制御部２５と、メモリ２７と、ビデオＲＡＭ２８と、映像再生部２９と、ＨＤＤ３２と、電気的に接続されている。メモリ２７は、各種プログラムを実行するにあたって必要となる情報を一時記憶する。制御手段は、ＨＤＤ（ハードディスク）３２等の記憶手段に記憶したプログラムを読み出すことで、音響制御部２５や映像再生部２９等の周辺構成に対して、各種処理を実行することが可能である。
【００２１】
また、カラオケ装置２は、カラオケ機能として楽曲を演奏するための演奏手段として音響制御部２５を備える。音響制御部２５は、ＣＰＵ３０等の制御に基づいて、ＨＤＤ３２に記憶する楽曲情報を読み出してＭＩＤＩ音源２６等に演奏させる。この音響制御部２５は、ＭＩＤＩ音源２６で演奏による演奏音声と、マイクロホン４３から入力される歌唱音声とをミキシングしてスピーカー４２から放音させるミキシング機能も有している。
【００２２】
また、カラオケ装置２は、ユーザーからの各種入力を受け付け可能な入力手段としての操作部２１を備える。また、カラオケ装置２は、操作部２１からの入力を解釈してＣＰＵ３０に伝達する操作処理部２２を備える。また、カラオケ装置２は、各種情報を記憶する記憶手段としてのＨＤＤ３２（ハードディスク）を備える。また、カラオケ装置２は、ＬＡＮ１００に有線接続してネットワークに接続するためのＬＡＮ通信部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。また、映像制御部３１には、カメラ４４が接続されており、外部の様子を映像情報として取り込むことを可能としている。複数のカラオケ装置２間を通信接続するリンク処理では、カメラ４４で取り込んだ映像情報を相手方のカラオケ装置２に送信することで、部屋間でのテレビ会議、あるいは、部屋間でのデュエットといった客室間コミュニケーションを楽しむことが可能となっている。
【００２４】
このような構成にてカラオケ装置２は、各種処理を実行することとなるが、カラオケ装置２の主な機能として、楽曲予約処理、楽曲演奏処理、映像表示処理等を実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約テーブルに登録する。楽曲演奏処理は、予約テーブルに登録された予約情報に基づいて順次楽曲を音響制御部２５に対して演奏させる処理である。この楽曲演奏処理に同期して映像再生処理が実行される。この映像再生処理は、映像制御部３１を含んで構成される映像再生手段に対し各種映像情報、歌詞情報等を再生させ、モニタ４１を介した視覚情報をユーザーに提供し、歌唱補助を行う処理である。
【００２５】
赤外線通信部２３は、リモコン装置１と同室内に設置されたカラオケ装置２との対応付け、又は、リンク申請処理等を行う際、使用される通信手段であって、本実施形態では受信機能のみを有する形態となっている。なお、この赤外線通信部２３は、リモコン装置１とネットワークを介した通信ができない場合、リモコン装置１からの予約情報を受信する等、予備的な通信手段として使用することも可能である。
【００２６】
リモコン装置１は、カラオケ装置２に対して予約情報等、各種指示を送信するとともに、カラオケ装置２あるいはインターネット上のサーバ装置から各種情報を受信する。リモコン装置１は、ユーザーに各種情報を表示するとともに、ユーザーからの各種入力を受付可能なタッチパネルモニタ１１を備えて構成されている。タッチパネルモニタ１１は、液晶パネル等の表示部１１ａと、静電容量方式あるいは感圧方式等を利用してユーザーの指示位置を判別可能なタッチパネル１１ｂと、を重畳して構成されている。
【００２７】
また、リモコン装置１は、リモコン装置１全体を統括して制御するための制御手段を備えて構成されている。この制御手段は、リモコン装置１の各種処理を統括して実行するＣＰＵ１５、各種処理を実行するためのプログラム、並びに、プログラム実行に伴って発生する各種情報を記憶するメモリ１４を含んで構成される。そして、リモコン装置１は、表示部１１ａに表示させる映像を形成する映像制御部１３、表示する映像情報を一時的に蓄えるビデオＲＡＭ１２、タッチパネル１１ｂ、あるいは、操作部１７からの入力を解釈してＣＰＵ１５に伝達する操作処理部１８を含んで構成されている。
【００２８】
また、リモコン装置１は、カラオケ装置２等の外部機器と無線通信を行う手段として、無線ＬＡＮ通信部１６、赤外線通信部１９を備えて構成される。無線ＬＡＮ通信部１６は、ＬＡＮ１００上に通信接続されたアクセスポイント１１０と無線通信することで、リモコン装置１をネットワークに接続させる。
【００２９】
無線ＬＡＮ通信部１６を使用することでネットワークに無線接続されたリモコン装置１は、ネットワークを介し、対応付けされている特定のカラオケ装置２に対して予約情報等各種指示を送信可能としている。また、リモコン装置１は、カラオケ装置２あるいはインターネット上のサーバ装置等から各種情報を受信することが可能である。
【００３０】
図３には、本実施形態に係るリンク申請時のカラオケシステムの様子を示す模式図が示されている。図１で説明したように、リモコン装置１ａ〜１ｃそれぞれは、同室内の各カラオケ装置２ａ〜２ｃに対応付けされており、リモコン装置１ａ〜１ｃの無線ＬＡＮ通信部１６からアクセスポイント１１０を介してカラオケ装置２ａ〜２ｃへ送信されたコマンド（コマンドとは、例えば、各種カラオケ機能の実行指示などがある）は、対応するカラオケ装置２ａ〜２ｃのＬＡＮ通信部２４で受け付けられ、ＣＰＵ３０によってコマンドの内容に関する処理が実行される（本発明における「受付処理」であり、丸１〜丸４は、後述する図４〜６で示されるフロー図において、リモコン装置１ａ、カラオケ装置２ａ、２ｂ間でやり取りされる情報の送受信を示す番号を意味するもので、前記「受付処理」の手順を示すものではない）。例えば、リモコン装置１ａから無線ＬＡＮで送信されたコマンドは、対応付けされているカラオケ装置２ａにて受け付けられるここで、店舗に来店したグループが、部屋の収容人数の関係上、部屋Ａと部屋Ｂに分かれた場合を考えてみる。本実施形態のカラオケシステムは、カラオケ装置２間を通信接続し、映像、音声、情報の相互通信を行うリンク処理を行うことが可能となっている。リンク処理を実行するカラオケ装置２間において、部屋間でのテレビ会議やデュエットといった客室間コミュニケーションを楽しむことが可能である。
【００３１】
図３の例では、部屋Ａと部屋Ｂに分かれたグループが、このリンク処理を使用することで、客室間コミュニケーションを行うこととしている。本実施形態では、リンク処理を開始するため、部屋Ａに設置してあったリモコン装置１ａを、リンク先となるカラオケ装置２ｂが設置されている部屋Ｂに持ち込み、赤外線通信（丸１）を使用したリンク申請処理を行うことで、リンク処理の開始を試みることが可能となっている。図３の例では、カラオケ装置２ａとカラオケ装置２ｂ間におけるリンク処理について説明を行う。カラオケ装置２間のリンク処理は、この例に限るものではなく、ＬＡＮ１００を介して通信接続されているカラオケ装置２間であれば、適宜カラオケ装置２間で実行することが可能である。
【００３２】
図８には、本実施形態に係るリモコン装置１ａのトップ画面（リンク停止時）が示されている。ユーザーは、ユーザー名、パスワードを入力することでログインし、自分の情報（ユーザ情報）を利用した各種サービスを受けることが可能である。図８は、Ａさんがログインしたときのトップ画面であって、ユーザーはこのトップ画面から、楽曲を指定する等、各種サービスを選択することが可能となっている。本実施形態では、画面右上にリンクメニューボタン１１ｃが表示されており、ユーザーは、このリンクメニューボタン１１ｃを操作することで、リンク処理に関する各種処理を実行することが可能である。図８のリンクメニューボタン１１ｃは、リンク処理を開始していないときの状態（リンク停止時）である。
【００３３】
図９には、本実施形態に係るリモコン装置１ａのリンク申請画面が示されている。図９の状態は、図８のリンクメニューボタン１１ｃを操作したときの状態であり、リンクボタン１１ｅが表示されたサブ画面１１ｄがトップ画面上にポップアップ表示された状態となっている。図３に示されるように、部屋Ａのカラオケ装置２ａと部屋Ｂのカラオケ装置２ｂ間でリンク処理を開始したいユーザーは、部屋Ａに設置してあるリモコン装置１ａを、部屋Ｂに持ち込み、このリンクボタン１１ｅを操作することで、リンク処理の開始を試みること（リンク申請処理）が可能である。
【００３４】
図４は、本実施形態に係るリモコン装置１ａの処理を示したフロー図であり、図５は、本実施形態に係るカラオケ装置２ｂの処理を示したフロー図であり、図６は、本実施形態に係るカラオケ装置２ａの処理を示したフロー図である。ここでは、一連の処理について、図３で示すカラオケ装置２ａとカラオケ装置２ｂ間のリンク処理について説明を行う。この例では、部屋Ａのカラオケ装置２ａと対応付けされているリモコン装置１ａを部屋Ｂに持ち込んで行う場合について説明を行う。図３の模式図、並びに、図４〜図６のフロー図に示される丸印で示される数字（丸１〜丸４）は、リモコン装置１ａ、カラオケ装置２ａ、２ｂ間でやり取りされる情報の送受信を示している。
【００３５】
部屋Ｂに持ち込まれたリモコン装置１ａにおいて、リンクボタン１１ｅが操作された場合（Ｓ１０１：Ｙｅｓ）、リモコン装置１ａは、赤外線通信部１９を使用してリンク申請情報を部屋Ｂの自室に設置されているカラオケ装置２ｂへ送信する（Ｓ１０２）。リモコン装置１ａとカラオケ装置２ｂは対応付けされていないため、無線ＬＡＮを介した通信を行うことはできないが、本実施形態では、無線ＬＡＮと異なる通信手段（本実施形態では、赤外線通信）を使用することで、リモコン装置１ａからカラオケ装置２ｂへの通信を可能としている。容易なリンク申請処理を実現するため、異なる通信手段としては、事前に対応付け処理、認証処理を必要としない通信手段が好ましい。
【００３６】
図７には、本実施形態に係るリンク申請情報のデータ構成が示されている。本実施形態のリンク申請情報は、リンク申請情報であることを示すヘッダ情報と、対応付けされているカラオケ装置ＩＤ（カラオケ装置２ａの識別情報）、リンク申請情報を送信するリモコン装置ＩＤ（リモコン装置１ａの識別情報）を含んで構成されている。カラオケ装置ＩＤ、リモコン装置ＩＤには、各個体に割り振られたＭＡＣアドレス、あるいは、ＬＡＮ１００のネットワーク上で識別可能なネットワークアドレスを使用することが可能である。
【００３７】
本実施形態のカラオケシステムでは、リモコン装置１とその制御対象となるカラオケ装置２とは予め対応付けられているため、リモコン装置１は、制御対象となるカラオケ装置２のカラオケ装置ＩＤを予め取得している、あるいは、ネットワークを介して取得することが可能である。図３の例では、リンク申請情報には、リモコン装置１ａのリモコン装置ＩＤと、カラオケ装置２ａのカラオケ装置ＩＤが含まれることになる。赤外線通信部２３にて、リモコン装置１ａからのリンク申請情報を受信したカラオケ装置２ｂは、それに含まれるカラオケ装置ＩＤによって、リンク処理を行う対象となるカラオケ装置２ａを判定することが可能となる。
【００３８】
図５には、リンク申請情報を受信するカラオケ装置２ｂ側での処理が示されている。カラオケ装置２ｂは、リモコン装置１ａから送信されたリンク申請情報を、赤外線通信部２３で受信する（Ｓ２０１：Ｙｅｓ）。カラオケ装置２ｂでは、受信したリンク申請情報に基づき、リモコン装置ＩＤ（リモコン装置１ａ）、カラオケ装置ＩＤ（カラオケ装置２ａ）を取得する（Ｓ２０２、Ｓ２０３）。
【００３９】
カラオケ装置２ｂは、取得したカラオケ装置２ａのカラオケ装置ＩＤに基づいて、カラオケ装置２ａに対して、ＬＡＮ１００を介してリンク要求（丸２）を送信する（Ｓ２０４）。リンク要求は、リンク処理の相手方となるカラオケ装置２（この場合、カラオケ装置２ａ）に対して、リンク処理の可否を問合せ、カラオケ装置２ａからリンク処理が可能である（リンク成功）通知（丸３）があった場合には（Ｓ２０６：Ｙｅｓ）、リンク処理を開始する要求である。リンク要求の送信に失敗（リンク失敗）した場合（Ｓ２０５：Ｎｏ、Ｓ２０６：Ｎｏ）には、カラオケ装置２ｂは、リモコン装置１ａに、リンク成功、もしくはリンク失敗を示す情報（以下、可否判定結果）として、リンク失敗を送信（丸４）する（Ｓ２０８）。リンク要求の失敗の原因としては、リンク要求をカラオケ装置２ａに送信することができなかった場合であって、カラオケ装置２ａがＬＡＮ１００に接続されていない場合や、カラオケ装置２ａがリンク処理を開始できない場合等が考えられる。
【００４０】
図６は、リンク要求を受信するカラオケ装置２ａ側での処理が示されている。リンク要求（丸２）を受信（Ｓ３０１：Ｙｅｓ）したカラオケ装置２ａは、自己の状態を確認する（Ｓ３０２）。自己の状態とは、カラオケ装置２ｂとリンク処理が可能か否かを判断するための状態であって、例えば、既にカラオケ装置２ｂ以外のカラオケ装置２とリンク処理を既に行っている、あるいは、カラオケ装置２ｂとのリンク処理と同時に行うことのできない他の処理を行っている場合等が考えられる。カラオケ装置２ａは、カラオケ装置２ｂとリンク処理を行うことができると判定した場合（Ｓ３０３：Ｙｅｓ）、カラオケ装置２ａは、カラオケ装置２ｂに対してリンク成功を、ＬＡＮ１００を介して通知（丸３）（Ｓ３０４）して、リンク処理を開始する（Ｓ３０６）。一方、カラオケ装置２ｂとリンク処理を行うことができないと判定した場合（Ｓ３０３：Ｎｏ）、カラオケ装置２ａは、カラオケ装置２ｂに対してリンク失敗を通知（丸３）する（Ｓ３０５）。
【００４１】
図５に示すカラオケ装置２ｂのフロー図に戻り説明を続ける。カラオケ装置２ｂは、カラオケ装置２ａから通知（丸３）されたリンク成功、あるいは、リンク失敗に基づきリンク処理の可否を判定する（Ｓ２０６）。リンク処理が可能である場合（Ｓ２０６：Ｙｅｓ）には、リンク処理を開始する（Ｓ２０７）。リンク処理の対象となるカラオケ装置２ａとカラオケ装置２ｂの両方でリンク処理を開始する（Ｓ２０７、Ｓ３０６）ことで、テレビ会議、デュエット等、カラオケ装置２間での通信に基づく各種サービスの提供が開始される。
【００４２】
図１２には、本実施形態に係るリンク処理中におけるカラオケ装置２ａ側での表示画面が示されている。カラオケ装置２ａがモニタ４１に表示する画面には、メイン画面４１ａの右上にサブ画面４１ｂが表示されている。また、メイン画面４１ａの下方には、楽曲演奏処理に伴って表示される歌詞４１ｃが表示されている。メイン画面４１ａに表示されている映像は、カラオケ装置２ａ側のカメラ４４で撮影されているライブ映像である。一方、サブ画面４１ｂに表示される映像は、リンク処理の対象となっているカラオケ装置２ｂ側のカメラ４４で撮影されているライブ映像である。リンク処理となったカラオケ装置２間では、映像に限らず、音声、情報を、相互に通信することが可能である。このようにリンク処理では、離れた部屋（この例の場合、部屋Ａと部屋Ｂ）間において、互いに通信を行うことで、テレビ会議、あるいは、デュエット等、各種処理を実行することが可能となる。
【００４３】
図５のリンク処理の可否判定結果は、リンク申請を行ったリモコン装置１ａに通知される。カラオケ装置２ｂは、Ｓ２０１で受信したリンク申請情報中に含まれるリモコン装置ＩＤにより、可否判定結果の返信先となるリモコン装置１ａを判定することが可能である。カラオケ装置２ｂは、リモコン装置１ａのリモコン装置ＩＤを宛先として、ＬＡＮ１００で構成されたネットワークに可否判定結果を送信する（Ｓ２０８）。ネットワークに送信された可否判定結果は、アクセスポイント１１０を介して、宛先となるリモコン装置１ａで受信される。このように、本実施形態では、申請処理を実行した後、リモコン装置１ａが元の部屋（この例では、部屋Ａ）に移動して使用されている状況においても確実に、リモコン装置１ａに対して可否判定結果を通知することが可能である。また、通常、リモコン装置１側の赤外線通信部１９は送信機能のみを有し、カラオケ装置２側の赤外線通信部２３は受信機能のみを有し、赤外線通信では上り通信しか行うことができないことが一般的である。本実施形態では、下り通信に無線ＬＡＮを使用することで、可否判定結果の申請を行ったリモコン装置１に対して通知することを可能としている。
【００４４】
図４に示すリモコン装置１ａのフロー図に戻り説明を続ける。リモコン装置１ａは、アクセスポイント１１０経由で送信（丸４）された、可否判定結果を、無線ＬＡＮ通信部１６を使用して受信（丸４）する。カラオケ装置２ｂから可否判定結果を受信（Ｓ１０３：Ｙｅｓ）したリモコン装置１ａは、可否判定結果の内容に基づいて、ユーザーに対する通知を行う。可否判定結果がリンク成功を示している場合（Ｓ１０４：Ｙｅｓ）、リモコン装置１ａは、リンク成功表示を実行する（Ｓ１０５）。
【００４５】
図１０には、本実施形態に係るリモコン装置１ａに表示されるリンク成功画面が示されている。トップ画面のサブ画面１１ｄ上には、ユーザーに対してリンクに成功した旨を告げるメッセージが表示されている。一定期間、このメッセージを表示した後、サブ画面１１ｄを消去して、図１１に示されるトップ画面（リンク中）へと移行する。このトップ画面に表示されているリンクメニューボタン１１ｃには、現在、リンク処理を行っている旨が表示されている。リンク処理を終了させたい場合、このリンクメニューボタン１１ｃを操作することで、リンク処理終了用のサブ画面（図示せず）が表示され、ユーザーの指示に基づいてリンク処理中止指示が送信される。リンク処理中止指示は、赤外線通信部１９、無線ＬＡＮ通信部１６のどちらを使用して送信してもよい。また、送信対象もリンク処理を実行しているカラオケ装置２ａ、２ｂのどちらであってもよい。
【００４６】
図１３には、本実施形態に係るリモコン装置１ｂに表示されるリンク失敗画面が示されている。本実施形態では、リンク申請情報を受信したカラオケ装置２ｂにおいて、リンク処理の開始を主導し、リンク申請を行ったリモコン装置１ａに対して、リンク処理の経過を確実に通知することが可能となっている。
【００４７】
以上、本実施形態のカラオケシステムによれば、リンク処理を行いたい第２カラオケ装置（カラオケ装置２ｂ）に対して、第１カラオケ装置（カラオケ装置２ａ）に対応付けられたリモコン装置（リモコン装置１ａ）からリンク申請処理を実行することで、テレビ会議や同時演奏等のリンク処理を容易に開始することが可能である。特に、部屋とカラオケ装置２を事前に対応付ける必要が無いため、故障、メンテナンス等を理由として、部屋のカラオケ装置２が交換された場合においても、交換の都度、カラオケ装置と部屋間の対応付けを行う必要が無く、カラオケシステムの管理も容易となる。
【符号の説明】
【００４８】
１ａ、１ｂ、１ｃ…リモコン装置    ２３…赤外線通信部
１１…タッチパネルモニタ          ２４…ＬＡＮ通信部
１１ａ…表示部                    ２５…音響制御部
１１ｂ…タッチパネル              ２７…メモリ
１２…ビデオＲＡＭ                ２８…ビデオＲＡＭ
１３…映像制御部                  ２９…映像再生部
１４…メモリ                      ３０…ＣＰＵ
１５…ＣＰＵ                      ３１…映像制御部
１６…無線ＬＡＮ通信部            ３２…ＨＤＤ（ハードディスク）
１７…操作部                      ４１…モニタ
１８…操作処理部                  ４２…スピーカー
１９…赤外線通信部                ４３ａ、４３ｂ…歌唱用マイク（マイクロホン）
２…カラオケ装置（コマンダ）      ４４…カメラ
２１…操作部                      １１０…アクセスポイント
２２…操作処理部                  １２０…ルータ
【図１】
2015184662.tif 000003
【図２】
2015184662.tif 000004
【図３】
2015184662.tif 000005
【図４】
2015184662.tif 000006
【図５】
2015184662.tif 000007
【図６】
2015184662.tif 000008
【図７】
2015184662.tif 000009
【図８】
2015184662.tif 000010
【図９】
2015184662.tif 000011
【図１０】
2015184662.tif 000012
【図１１】
2015184662.tif 000013
【図１２】
2015184662.tif 000014
【図１３】
2015184662.tif 000015